(57)【要約】【課題】  成分表示等を表示した表示部を施したラベルを容器に用いても衝撃を効果的に吸収することができて中皿が壊れるようなことがない衝撃吸収ラベル及び容器を提供すること。【解決手段】  容器に用いられる衝撃吸収ラベルであって、表示義務として成分表示等を表示した表示部２が施されている剥離層３と、表示義務として前記表示部と同様な内容の表示部４が施されている合成樹脂層５と、所定厚さの衝撃吸収層と、第二の剥離層７と、が順に重合粘着されている。【選択図】      図１
0003145662.tif 000002
【実用新案登録請求の範囲】
【請求項１】
容器に用いられるラベルであって、表示義務として成分表示等の表示部が施されている剥離層と、表示義務として前記表示部と同様な内容の表示部が施されている合成樹脂層と、所定厚さの衝撃吸収層と、第二の剥離層と、が順に重合粘着されていることを特徴とする衝撃吸収ラベル。
【請求項２】
表示義務として成分表示等の表示部が施されている剥離層に代えて前記のような表示部を施していない透明な剥離層にした請求項１に記載の衝撃吸収ラベル。
【請求項３】
容器が、化粧品収納容器である請求項１又は２に記載の衝撃吸収ラベル。
【請求項４】
容器本体と、該容器本体内に着脱可能に収容された中皿と、該中皿を覆うように容器本体の後端部に後端部が枢支されて開閉自在に取り付けられた蓋体とを具え、前記中皿を収容した容器本体の底部が透明に形成されており、前記中皿と容器本体との間に、請求項１ないし３のいずれかに記載の衝撃吸収ラベルが、剥離層及び第二の剥離層が剥離され、合成樹脂層の表示部が容器本体の底部を向いて粘着配置されていることを特徴とする容器。
【考案の詳細な説明】
【技術分野】
【０００１】
この考案は、衝撃吸収ラベル及び該ラベルを容器本体内に着脱可能に収容される中皿と前記容器本体との間に粘着配置してなる容器に関するものである。
【背景技術】
【０００２】
食品や化粧品については、従来からその原材料や成分について法的表示が義務付けられていた。化粧品の成分表示を例に説明すると、薬事法に基づいてその表示制度が確立され、２００１年４月１日からはそれまで百数品目であったものが全成分にわたりその表示が義務付けられた。
【０００３】
ところで、従来、前記のような表示義務のために、全成分を表示した成分表示等の表示部をラベルに施こし、そのラベルを例えば化粧品収納容器の本体表面に形成した中皿収納部の底面等に前記表示部を底面側にして貼り付け、該表示部を容器外から透明材からなる中皿収納部を透視して見れるようにしていた。しかしながら、従来のラベルは薄肉シールからなるため、それ自体では中皿の緩衝作用は期待できず、したがって、ラベルを中皿収納部の底面等に貼り付けていても、容器を携行時に落下したり、あるいは容器を入れたカバンを置いたときの衝撃により、中皿が容器本体から外れて本体内で本体部品とぶつかり合って壊れ易いという問題があった。
【０００４】
なお、先行技術として、衝撃吸収の機能を有するＩＣタグ付ラベル（特許文献１参照）やフラットディスプレイ用耐衝撃吸収材（特許文献２参照）のようなものも提案されているが、これらは単に衝撃を吸収するだけのものであり、表示義務として成分表示等の表示部があるものではなく、表示義務として施される表示部の存在を必須の構成とする本発明とは、技術的にはほど遠いものである。
【０００５】
【特許文献１】特開２００７−７９８３１号公報
【特許文献２】特開２００７−９４１９１号公報
【考案の開示】
【考案が解決しようとする課題】
【０００６】
そこでこの考案は、前記のような従来の問題に鑑みて創案されたものであり、成分表示等を表示した表示部を施したラベルを容器に用いても衝撃を効果的に吸収することができて中皿が壊れるようなことがない衝撃吸収ラベル及び容器を提供することを目的とする。
【課題を解決するための手段】
【０００７】
前記目的を達成するために、請求項１に記載の考案は、容器に用いられるラベルであって、表示義務として成分表示等の表示部が施されている剥離層と、表示義務として前記表示部と同様な内容の表示部が施されている合成樹脂層と、所定厚さの衝撃吸収層と、第二の剥離層と、が順に重合粘着されていることを特徴とする衝撃吸収ラベルである。
【０００８】
請求項２に記載の考案は、請求項１において、表示義務として成分表示等の表示部が施されている剥離層に代えて前記のような表示部を施していない透明な剥離層にしたことを特徴とする。請求項３に記載の考案は、請求項１又は２において、容器が、化粧品収納容器であることを特徴とする。請求項４に記載の考案は、容器本体と、該容器本体内に着脱可能に収容された中皿と、該中皿を覆うように容器本体の後端部に後端部が枢支されて開閉自在に取り付けられた蓋体とを具え、前記中皿を収容した容器本体の底部が透明に形成されており、前記中皿と容器本体との間に、請求項１ないし３のいずれかに記載の衝撃吸収ラベルが、剥離層及び第二の剥離層が剥離され、合成樹脂層の表示部が容器本体の底部を向いて粘着配置されていることを特徴とする容器である。
【考案の効果】
【０００９】
この考案は、前記のようであって、表示義務として成分表示等の表示部が施されている剥離層、又は前記のような表示部を施していない透明な剥離層と、表示義務として前記表示部と同様な内容の表示部が施されている合成樹脂層と、所定厚さの衝撃吸収層と、第二の剥離層と、が順に重合粘着されてなるものであるから、例えば容器にその中皿と容器本体との間に貼り付けて用いられる場合には中皿の緩衝作用を果たし、該容器が落下したりして衝撃を受けてもその衝撃を衝撃吸収層により吸収し、従来のように中皿が壊れるのを防止することができるという優れた効果がある。
【考案を実施するための最良の形態】
【００１０】
この考案の一実施の形態を、添付した図面を参照しながら詳細に説明する。
【００１１】
図１は、一実施の形態に係る衝撃吸収ラベルの全体斜視図で、一枚目の剥離層が一部剥がされた状態を示している。図２は、図１のＡ−Ａ線に沿う拡大断面図である。
【００１２】
１は、衝撃吸収ラベルであって、この衝撃吸収ラベル１は、表示義務として化粧品の成分表示や、製品名、製造者、製造番号、製造年月日、ロット番号等が表示された表示部２が表面に印刷されている剥離層３と、表示義務として前記表示部と同様な表示部４が表面に印刷されている合成樹脂層５と、所定厚さの衝撃吸収層６と、第二の剥離層（台紙）７と、が順に粘着剤によって重合粘着されて構成されている。剥離層３を剥離すると現出する合成樹脂層５の表示部４の表面は粘着剤があり、該粘着剤によってラベル１を所定位置に貼り付け可能になっている。第二の剥離層７を剥離すると現出する衝撃吸収層６の裏面にも粘着剤があり、該粘着剤によってラベル１の貼り付けが可能になっている。合成樹脂層５は、例えばポリエチレンテレフタラート（ＰＥＴ）からなり、その厚さは１６μｍ程度である。衝撃吸収層６は、例えばポリエチレンフォーム（発泡体）からなり、その厚さは１ｍｍ程度である。第二の剥離層７を除く、剥離層３、合成樹脂層５、衝撃吸収層６は縦が３ｃｍ、横が４ｃｍ程度の方形状を呈した形体からなっている。
【００１３】
表示部２と表示部４に印刷により表示された内容は全く同一であり、この衝撃吸収ラベル１が用いられる化粧品収納容器の前記したような化粧品の全成分等が表示される。化粧品として使用が認められる成分としては、現在およそ３０００種類位あり、従前は、そのうち表示義務があるのは百数品目のみであったが、改正薬事法に基づいて表示制度が変わり、現在は、全成分の表示が義務付けられたため、この義務を履行するために上記のように表示している。
【００１４】
前記では衝撃吸収層６としてポリエチレンフォームを挙げたが、衝撃を吸収できるものであればほかに例えばゴム系の弾性体のようなものでもよい。また、前記では衝撃吸収ラベル１を４層構造としたが、ほかに例えば衝撃吸収層６と第二の剥離層７の間に上質紙や樹脂フィルムなどの層を介在させてもよい。
【００１５】
図３，４は、別の実施の形態の衝撃吸収ラベルを示す。図３は、その全体斜視図で、一枚目の剥離層が一部剥がされた状態を示している。図４は、図３のＢ−Ｂ線に沿う拡大断面図である。この衝撃吸収ラベル１’は、剥離層３に代えて表示部２が印刷されていない透明な剥離層３’を用いている点で衝撃吸収ラベル１と相違し、そのほかの構成は同様となっている。つまり、剥離層３’が透明のため該透明部から合成樹脂層５の表示部４が見れるような状態にあるため、あえて剥離層３’の表面には剥離層３のように表示部２を印刷する必要がないのである。
【００１６】
前記では説明の便宜上、衝撃吸収ラベル１，１’は、一枚の台紙７に一枚のみ示したが、通常は、一枚の台紙７に複数枚、例えば図５に示すように２列５個で計１０個、整列粘着された状態で切断されて出荷され、販売に供される。
【００１７】
図６，７は、前記ラベル１を貼り付ける容器として、化粧品収納容器の一例を示す。以下、簡単にその構成を説明すると、化粧品収納容器１０は全体が合成樹脂からなり、容器本体１１と、該本体内に形成した円形の中皿収容凹所に着脱可能に収容される中皿１２と、該中皿を覆うように容器本体１１の後端部に後端部が枢支されて開閉自在に取り付けられた蓋体１３と、を具えている。中皿１２にはファンデーションなどの化粧品が充填されている。この中皿１２は着脱可能になっていることからもわかるように中皿単独での販売もなされている。中皿１２は容器本体１１の収容凹所に収容されると、該凹所の内面と中皿外面に設けた図示しない係止部により係止し、妄りに係止が外れないようにはなっているが、強い衝撃がかかるとその係止が外れることがある。また、中皿１２は容器本体１１の収容凹所に直接収容されず、図示しない中枠を介して収容されることもある。蓋体１３の中皿１２側となる裏面には鏡１４が装着されている。容器本体１１と蓋体１３の前端部には閉蓋時に係止する係止突起１５，１６が設けられている。また、容器本体１１の少なくとも中皿１２を収容する収容凹所の底部は透明になっている。そして、このような化粧品収納容器１０は好みの化粧品を充填した中皿１２を収容して携行され、用いられる。
【００１８】
しかして、前記の化粧品収納容器１０にも成分表示が義務付けられているので、それを表示した衝撃吸収ラベル１を該容器に貼り付けることとなるが、その貼り付けに際しては、まず剥離層３を剥がして合成樹脂層５の表示部４が見れるようにしたうえ、該合成樹脂層を容器本体１１の中皿１２が収容される収容凹所の底面中央部にその表面の粘着剤を介して粘着する。このようにして粘着した衝撃吸収ラベル１は、表示部４が容器外から容器本体１１の透明になった収容凹所の底部を透視して見れるような状態で、該本体内に配置される。しかる後、第二の剥離層７を剥がし、その上から中皿１２を容器本体１１の収容凹所内に入れ、その底面を衝撃吸収層６の表面に置き、軽く押し付けるようにする。これにより中皿１２は衝撃吸収層６の表面に粘着剤を介して貼り付けられ、しっかりと容器本体１１内に固定される。
【００１９】
別の実施の形態の衝撃吸収ラベル１’の場合は、透明の剥離層３’を剥がして前記と同様、合成樹脂層５の表示部４が容器外から容器本体１１の透明になった収容凹所の底部を透視して見れるような状態で、該本体内に配置したうえ、中皿１２を容器本体１１の収容凹所内に入れ、その底面を衝撃吸収層６の表面に粘着剤を介して粘着する。
【００２０】
前記のようにして容器本体１１の収容凹所内に収容された中皿１２は、携行時に容器１０に衝撃がかかっても、衝撃吸収層６でその衝撃が吸収されるため、従来のように衝撃により壊れるようなことがない。また、合成樹脂層５の表示部４は、容器外から容器本体１１の透明になった収容凹所の底部を透視することにより、必要があれば、いつ、どこでも見ることができ、しかもラベル１，１’が容器の外面に直接貼り付けられていないから、損傷を受けることも少なくて済む。
【００２１】
前記のようであって、この衝撃吸収ラベル１，１’を化粧品収納容器１０に用いれば、衝撃に強いものとなり、容器１０が携行時等に落下や衝撃を受けても、容器本体１１と中皿１２を粘着する衝撃吸収ラベル１，１’によってその衝撃を効果的に吸収することができる。したがって、容器本体１１の収容凹所から中皿１２が外れ、それに基づいて中皿１２が容器本体１１内でぶつかり合って壊れるといったことがないという利点がある。
【００２２】
なお、図面に示す実施の形態は好ましい一例を示したにすぎず、合成樹脂層５や衝撃吸収層６の材質等は、前記で説明した以外の材質のものを使用してもよい。また、実施の形態で示した化粧品収納容器１０も容器の一例であって、これ以外の形体の化粧品収納容器を使用してもよいし、あるいは化粧品ではない別の製品（食品等）を収納する容器であってもよい。そのほかにも細部の構成は、実施に際し、実用新案登録請求の範囲に記載した範囲内で任意に変更して実施することができるものである。
【図面の簡単な説明】
【００２３】
【図１】この考案の一実施の形態に係る衝撃吸収ラベルの全体斜視図である。
【図２】図１のＡ−Ａ線に沿う拡大断面図である。
【図３】別の実施の形態に係る衝撃吸収ラベルの全体斜視図である。
【図４】図３のＢ−Ｂ線に沿う拡大断面図である。
【図５】衝撃吸収ラベルが一枚の台紙に複数枚粘着された状態を示す平面図である。
【図６】衝撃吸収ラベルが粘着された化粧品収納容器の開蓋状態の斜視図である。
【図７】閉蓋状態の化粧品収納容器の底面図である。
【符号の説明】
【００２４】
１，１’  衝撃吸収ラベル
２，４  表示部
３，３’  剥離層
５  合成樹脂層
６  衝撃吸収層
７  第二の剥離層（台紙）
１０  化粧品収納容器
１１  容器本体
１２  中皿
１３  蓋体
１４  鏡
【図１】
0003145662.tif 000003
【図２】
0003145662.tif 000004
【図３】
0003145662.tif 000005
【図４】
0003145662.tif 000006
【図５】
0003145662.tif 000007
【図６】
0003145662.tif 000008
【図７】
0003145662.tif 000009